【手続補正書】
【提出日】平成28年3月17日(2016.3.17)
【手続補正１】
【補正対象書類名】明細書
【補正対象項目名】００１０
【補正方法】変更
【補正の内容】
【００１０】
本発明は上記従来例に鑑みてなされたもので、本発明の露光装置は、画像形成装置に備えられる感光体を露光する露光装置であって、感光体を露光するための光を出射する複数の発光素子と、前記複数の発光素子から出射される光が前記感光体の回転軸方向において前記感光体上の異なる位置を露光するように、前記複数の発光素子が配列された基板と、前記複数の発光素子の配列方向における一方の端部側の基板上に設けられ、前記感光体の回転軸方向における一方の端部側の第１の露光領域を露光する第１の発光素子群を駆動するための第１の駆動信号を出力する第１の端子と、前記複数の発光素子の配列方向における他方の端部側の基板上に設けられ、前記感光体の回転軸方向において前記第１の露光領域に隣接する前記感光体上の第２のエリアを露光する第２の発光素子群を駆動するための第２の駆動信号を出力する第２の端子と、前記第１の発光素子群の配列方向に沿うように前記基板上に設けられ、前記第１の端子から出力される前記第１の駆動信号を伝送する第１の伝送ラインと、前記第２の発光素子群の配列方向に沿うように前記基板上に設けられ、前記第２の端子から出力される前記第２の駆動信号を伝送する第２の伝送ラインと、を備えることを特徴とする。
【手続補正２】
【補正対象書類名】明細書
【補正対象項目名】００１６
【補正方法】変更
【補正の内容】
【００１６】
作像部５０３において図１中右からイエロー（Ｙ）マゼンタ（Ｍ）、シアン（Ｃ）、ブラック（Ｋ）の順に並べられた各色ごとの作像ステーションは、イエローステーションの作像開始から所定時間経過後に、マゼンタ、シアン、ブラックの作像動作を順次実行していく。このタイミング制御によって、搬送ベルト５１１上に色ずれのないフルカラートナー像が転写される。定着部５１０は、ローラやベルトの組み合わせによって構成され、ハロゲンヒータ等の熱源を内蔵し、シート上のトナー像を、熱と圧力によって溶解、定着させる。
【手続補正３】
【補正対象書類名】明細書
【補正対象項目名】００１７
【補正方法】変更
【補正の内容】
【００１７】
プリンタ制御部（不図示）は、ＭＦＰ全体を制御するＭＦＰ制御部と通信して、その指示に応じて制御を実行すると共に、前述のスキャナ、作像、定着、給紙／搬送の各部の状態を管理しながら、全体が調和を保って円滑に動作できるよう指示を行う。なお図示はしないが、本実施形態の発明は画像形成に係るものであり、画像スキャナを持たないプリンタについても適用することができる。
・露光ヘッドの構成
本実施形態では、露光ヘッド１０６によって感光ドラム５０２に露光を行う。図２（ａ）、図２（ｂ）に感光ドラム５０２に対する露光ヘッド１０６の配置の様子と有機ＥＬ素子から出射された光の感光ドラムに対する集光状態を示す。露光ヘッド１０６、および、感光ドラム５０２は、不図示の取り付け部材によって、各々、画像形成装置に取り付けられている。露光ヘッド１０６は、有機ＥＬ素子群６０１（発光素子列とも呼ぶ）と、有機ＥＬ素子群６０１を実装したプリント基板６０２、ロッドレンズアレイ６０３、ロッドレンズアレイ６０３とプリント基板６０２とを取り付けるハウジング６０４で構成されており、工場では露光ヘッド１０６単体で組み立て調整作業を行い、各スポットのピント調整、光量調整が行われる。ここで、図２（ｂ）に示すように、感光ドラム５０２とロッドレンズアレイ６０３との間の距離、ロッドレンズアレイ６０３と有機ＥＬ素子群６０１との間の距離は、等間隔となるように配置されることで有機ＥＬ素子から出射された光が感光ドラム５０２上に結像される。このため、ピント調整時においては、ロッドレンズアレイ６０３と有機ＥＬ素子群６０１との距離が所望の値となるように、ロッドレンズアレイ６０３の取り付け位置の調整が行われる。また、光量調整時においては、各有機ＥＬ素子を順次発光させていき、ロッドレンズアレイ６０３を介して集光させた光が、所定光量になるように各発光素子の駆動電流が調整される。
【手続補正４】
【補正対象書類名】明細書
【補正対象項目名】００１８
【補正方法】変更
【補正の内容】
【００１８】
・基板の構成
図３（ａ）に有機ＥＬ素子群６０１を配列した露光ヘッド１０６のプリント基板６０２を示す。各発光点は、プリント基板６０２の長手方向に等間隔に配置される。各発光点を本実施形態では素子と呼ぶ。本実施形態は、基板長手方向（感光ドラム５０２の回転軸方向）の解像度が１２００ｄｐｉの場合について述べる。解像度が１２００ｄｐｉの場合、画素間のピッチは略２１．１μｍであるため、有機ＥＬ素子のピッチは略２１．１μｍになるように配置される。基板６０２上には、有機ＥＬ素子の駆動電流をＯＮ／ＯＦＦして点灯制御する複数の駆動部（駆動ユニット）を含む駆動ユニット群６０３と、駆動ユニット群６０３の各駆動部に対して、点灯を指示する画像信号を伝送する配線パターン６０４、６０５が設けられている。また、画像信号は、不図示のコントローラと束線から、コネクタ６０６、コネクタ６０７を介して配線パターン６０４、配線パターン６０５にそれぞれ伝送される。配線パターン６０４、６０５は、チップセレクト信号ラインと共通信号ラインとによって構成され、各々の信号の組み合わせで発光が制御される。
【手続補正５】
【補正対象書類名】明細書
【補正対象項目名】００２５
【補正方法】変更
【補正の内容】
【００２５】
基板６０２には、コネクタ６０６が設けられている。コネクタ６０６は、基板６０２の長手方向において、発光素子群及び配線パターンの外側に設けられている。コネクタ６０６は、第１の発光素子群を駆動するための駆動信号が入力されるコネクタである。コネクタ６０６は、基板６０２の外部に設けられた、すなわち、画像形成装置本体に設けられたコントローラ（制御部）から、チップセレクト信号及び画像信号を受ける。コネクタ６０６には、配線パターン６０４が接続されており、コネクタ６０６は、不図示の出力端子（第１の出力端子）からチップセレクト信号及び画像信号をそれぞれ対応する信号線に出力する。
【手続補正６】
【補正対象書類名】特許請求の範囲
【補正対象項目名】全文
【補正方法】変更
【補正の内容】
【特許請求の範囲】
【請求項１】
画像形成装置に備えられる感光体を露光する露光装置であって、
感光体を露光するための光を出射する複数の発光素子と、
前記複数の発光素子から出射される光が前記感光体の回転軸方向において前記感光体上の異なる位置を露光するように、前記複数の発光素子が配列された基板と、
前記複数の発光素子の配列方向における一方の端部側の基板上に設けられ、前記感光体の回転軸方向における一方の端部側の第１の露光領域を露光する第１の発光素子群を駆動するための第１の駆動信号を出力する第１の端子と、
前記複数の発光素子の配列方向における他方の端部側の基板上に設けられ、前記感光体の回転軸方向において前記第１の露光領域に隣接する前記感光体上の第２のエリアを露光する第２の発光素子群を駆動するための第２の駆動信号を出力する第２の端子と、
前記第１の発光素子群の配列方向に沿うように前記基板上に設けられ、前記第１の端子から出力される前記第１の駆動信号を伝送する第１の伝送ラインと、
前記第２の発光素子群の配列方向に沿うように前記基板上に設けられ、前記第２の端子から出力される前記第２の駆動信号を伝送する第２の伝送ラインと、を備えることを特徴とする露光装置。
【請求項２】
前記複数の発光素子それぞれに対応して前記複数の発光素子の配列方向に沿うように前記基板上に設けられ、前記複数の発光素子を駆動するための複数の駆動ユニットを備え、
前記第１の発光素子群に含まれる各発光素子を駆動する第１の駆動ユニット群は、前記第１の伝送ラインによって伝送される前記第１の駆動信号に基づいてそれぞれの駆動ユニットが対応する発光素子を駆動し、前記第２の発光素子群に含まれる各発光素子を駆動する第２の駆動ユニット群は、前記第２の伝送ラインによって伝送される前記第２の駆動信号に基づいてそれぞれの駆動ユニットが対応する発光素子を駆動することを特徴とする請求項１に記載の露光装置。
【請求項３】
前記第１の発光素子群に含まれる複数の発光素子は複数のグループのいずれかに属し、前記第２の発光素子群に含まれる複数の発光素子は複数のグループのいずれかに属し、
前記第１の伝送ラインは、前記第１の発光素子群に含まれるいずれか１つのグループに属する発光素子の発光を許可するイネーブル信号を前記第１の駆動ユニット群に伝送するセレクト信号ラインを含み、
前記第２の伝送ラインは、前記第２の発光素子群に含まれるいずれか１つのグループに属する発光素子の発光を許可するイネーブル信号を前記第２の駆動ユニット群に伝送する信号線を含むことを特徴とする請求項２に記載の露光装置。
【請求項４】
前記第１の伝送ライン及び前記第２の伝送ラインは、前記イネーブル信号が１つのグループに属する複数の発光素子に対応する駆動ユニットに入力されるように前記基板に設けられていることを特徴する請求項３に記載の露光装置。
【請求項５】
前記第１の伝送ラインは、前記第１の発光素子群に含まれる複数のグループに対して共通に使用され、前記複数のグループに含まれる発光素子に対して当該発光素子それぞれに対応する画像信号を伝送する信号線を含み、
前記第２の伝送ラインは、前記第２の発光素子群に含まれる複数のグループに対して共通に使用され、前記複数のグループに含まれる発光素子に対して当該発光素子それぞれに対応する画像信号を伝送する信号線を含むことを特徴とする請求項２乃至４いずれか１項に記載の露光装置。
【請求項６】
前記第１の発光素子群に含まれる前記複数のグループに属する発光素子の数は同一であり、前記第２の発光素子群に含まれる前記複数のグループに属する発光素子の数は同一であることを特徴とする請求項５に記載の露光装置。
【請求項７】
請求項１乃至６のいずれか一項に記載の露光装置と、
前記感光体と、
前記第１の端子及び前記第２の端子に前記駆動信号を出力する制御部と、を備えることを特徴とする画像形成装置。